(57)【要約】 【課題】  汚染地域の湖沼底の除染作業の対象である除去泥土（除染泥土）を、通常の除染土壌と同様な保管を可能として湖沼の除染作業の効率化を図る。【解決手段】  透水機能を有する袋本体１１に吊上用ベルト１２と、袋本体の内底面に連結した排出ベルト１３を備えた処理袋１に、排出ベルトの先端掛止部（フック）１４を外部に露出させた状態で除染泥土Ｘを充填し、除染泥土Ｘを充填した処理袋１Ａを適宜脱水処理を行い、脱水処理後に脱水除染泥土（除染土壌Ｙ）が収納された処理袋１Ｂをそのまま保管袋６内に収納し、収納状態のまま排出ベルト１３を引き上げて処理袋１を取り出して除染土壌Ｙを保管袋６に移し替え、当該保管袋６Ａで所定の保管を行ってなる。【選択図】図２
2018154406.tif 000002
【特許請求の範囲】
【請求項１】
適宜な透水機能を備えたメッシュ材で形成された袋本体と、袋本体に付設した吊上用ベルトと、袋本体の内底面に連結し、且つ袋本体外に位置できる先端掛止部を備えた排出ベルトで構成してなることを特徴とする泥水泥土等の脱水処理袋。
【請求項２】
請求項１記載の泥水泥土等の脱水処理袋に、排出ベルトの先端を外部に露出させた状態で、湖沼水底の除染作業で生じた泥水泥土等を充填し、適宜脱水処理を行い、脱水処理後に脱水泥土が収納された処理袋をそのまま保管袋内に収納し、収納状態のまま排出ベルトを引き上げて処理袋を取り出した後、当該保管袋で所定の保管を行ってなることを特徴とする除染泥土の処理方法。
【請求項３】
脱水処理が除染泥土を充填した処理袋をメッシュ容器に収納して加圧する加圧脱水処理である請求項２記載の除染泥土の処理方法。
【請求項４】
脱水処理が、中央に適宜径の筒体を立てて除染泥土を充填した処理袋をメッシュ容器に収納して回転させる遠心脱水処理である請求項２記載の除染泥土の処理方法。
【請求項５】
脱水処理が、請求項４記載の遠心脱水処理を実施した後、筒体を取り外して請求項３記載の加圧脱水処理を行うものである請求項２記載の除染泥土の処理方法。
【請求項６】
移動台上にメッシュ状の容器部を設け、収納・取出位置と脱水位置を移動する移動脱水容器部と、容器内に収納した除染泥土を充填した処理袋に対して、前記脱水位置で重力加圧を行う加圧脱水機構部と、除染泥土を収納した処理袋を吊って収納・取出定位置から所定位置まで運搬する運搬機構部とを備えてなることを特徴とする除染泥土の処理装置。
【請求項７】
適宜位置に保管袋用の保持容器を備えると共に、当該上方位置まで運搬機構部を延設してなる請求項４記載の除染泥土の処理装置。
【発明の詳細な説明】
【技術分野】
【０００１】
本発明は、泥水（泥濁水）及び泥土の脱水処理袋及び放射線汚染土（表層土）の除染作業で生じた除去土壌（除染泥土）の脱水処理に関するものである。
【背景技術】
【０００２】
放射能汚染地域内の除染作業は、汚染土壌（表層土）を汚染箇所から除去することで行われる（特許文献１）。前記の除染作業で生じた除去土壌は、フレキシブルコンテナ等（特許文献２）に収納して、所定の保管場所（中間貯蔵施設や仮置き場）に一時保管され、のちに恒久的な保管場所に移すとしている。
【０００３】
また特許文献３には、汚染地域内のダム湖底、湖沼水底の除染作業について、汚染泥土を浚渫し、これを脱水した後凝集し、適宜な袋詰めを行った後コンクリート製保管箱に収納して、水中保管することが開示されている。
【先行技術文献】
【特許文献】
【０００４】
【特許文献１】特開２０１３−３３８９６号公報。
【特許文献２】特開２０１６−２２３９３０号公報。
【特許文献３】特開２０１６−１７７７２号公報。
【発明の概要】
【発明が解決しようとする課題】
【０００５】
湖沼底の除染作業のために浚渫した除去土壌は、水分を多量に含んだ泥状物であり、そのままでは保管処理ができない。前記した特許文献３記載の処理手段のように、湖沼底からの除去土壌（以下「除染泥土」という）を凝集させ、凝集除染泥土を保管袋に収納し、更にコンクリート製容器に収納して保管する手段は、除染作業が煩雑になり、且つ凝集剤の使用による高水分状態の保管という結果となり、除染全体の作業効率が良いとは言えない。
【０００６】
そこで本発明は湖沼などの除染作業で生じた除去泥土（除染泥土）を、通常の除染土壌と同様な保管を行うことができる除染泥土の処理システムを提案したものである。
【課題を解決するための手段】
【０００７】
本発明の請求項１記載に係る泥水泥土の脱水処理袋は、適宜な透水機能を備えたメッシュ材で形成された袋本体と、袋本体に付設した吊上用ベルトと、袋本体の内底面に連結し、且つ袋本体外に位置できる先端掛止部を備えた排出ベルトで構成してなることを特徴とするものである。
【０００８】
また本発明の請求項２記載に係る除染泥土の処理方法は、前記の除染泥土脱水処理袋に排出ベルトの先端を外部に露出させた状態で、湖沼水底の除染作業で生じた除染泥土を充填し、適宜脱水処理を行い、脱水処理後に脱水除染泥土が収納された処理袋をそのまま保管袋内に収納し、収納状態のまま排出ベルトを引き上げて処理袋を取り出した後、当該保管袋で所定の保管を行ってなることを特徴とするものである。
【０００９】
また本発明の請求項３乃至５記載に係る除染泥土の処理方法は、前記した脱水処理を、除染泥土充填の処理袋をメッシュ容器に収納して加圧する加圧脱水処理、或いは中央に適宜径の筒体を立てて除染泥土を充填した処理袋をメッシュ容器に収納して回転させる遠心脱水処理、又は前記遠心脱水処理した後に、加圧脱水処理を行うものである。
【００１０】
而して脱水処理袋（以下「処理袋」という）に除染泥土を充填して、適宜脱水処理し、脱水処理後に脱水除染泥土が収納された処理袋をそのまま保管袋内に収納し、収納状態のまま排出ベルトを引き上げて処理袋を取り出すと、当該保管袋に脱水処理された汚染泥土（汚染土壌）が移し替えられ、除染土壌が充填された保管袋を所定の保管場所（中間貯蔵施設）に搬送して保管を行うものである。
【００１１】
特に脱水処理は、除染泥土を充填した処理袋をメッシュ容器に入れて加圧し、加圧力による含有水分の除去を行う加圧脱水処理の他、除染泥土を充填した処理袋をメッシュ容器に入れ、同容器を回転させて含有水分を遠心力で除去する遠心脱水処理を行う。更には遠心脱水処理後加圧脱水を行うようにしても良い。
【００１２】
また本発明の請求項６記載に係る除染泥土の処理装置は、脱水処理として加圧脱水処理を採用したもので、移動台上にメッシュ状の容器部を設け、収納・取出位置と脱水位置を移動する移動脱水容器部と、容器内に収納した除染泥土を充填した処理袋に対して、前記脱水位置で重力加圧を行う加圧脱水機構部と、除染泥土を収納した処理袋を吊って収納・取出定位置から所定位置まで運搬する運搬機構部とを備えてなることを特徴とするものである。
【００１３】
更に請求項７記載の装置は、適宜位置に保管袋用の保持容器を備えると共に、当該上方位置まで運搬機構部を延設してなるものである。
【００１４】
而して前記処理装置は、除染泥土を充填した処理袋を処理装置まで運搬し、処理装置において脱水して保管可能状態（保管袋への袋詰め）までの作業を行うものである。運搬されてきた除染泥土充填の処理袋は、メッシュ状の容器部に収納して加圧脱水機構部の位置まで移動させ、重力加圧によって処理袋内の除染泥土を脱水して除染泥土を脱水泥土とする。
【００１５】
脱水終了後に容器部を取出し位置まで移動させて、脱水泥土充填の処理袋を吊り上げ移動して保管容器内の開口状態の保管袋に収納する。次に排出ベルトのみを吊り上げると処理袋は反転して脱水泥土が保管袋に移る。保管袋に所定量の脱水泥土（除染土壌）が入るとこれを取出す。除染土壌が充填された保管袋は、所定の保管場所（中間貯蔵施設）に適宜に搬出する。
【発明の効果】
【００１６】
本発明の構成は上記のとおりであるから、汚染地域の湖沼の除染作業における除去泥土（除染泥土）を、通常の除染土壌と同様な保管を可能とし、汚染地域の湖沼の除染作業を効率的に行うことができたものである。
【図面の簡単な説明】
【００１７】
【図１】本発明の実施形態の処理袋の説明図。
【図２】本発明方法（加圧脱水処理）の全体の処理手順説明図。
【図３】本発明の装置（加圧脱水処理）の説明図（脱水処理前後）。
【図４】同図（保管処理前）。
【図５】同図（保管充填搬出）。
【図６】同遠心脱水処理の処理袋の使用状態の説明図。
【図７】同遠心脱水処理の処理手順説明図。
【図８】同遠心脱水処理装置の説明図。
【発明を実施するための形態】
【００１８】
次に発明の実施形態について説明する。実施形態に示した泥水泥土の脱水処理袋（処理袋）１は、脱水フレコンバック或いは水切りフレコンと称されている物品と同様に、生地の織り目の隙間が０．２〜０．５ｍｍ程度で容量を５００〜１０００リットルとした袋本体１１に、吊上用ベルト１２と排出ベルト１３を設けたものである。
【００１９】
吊上用ベルト１２は従前の物と同様に充填状態での十分な耐久力を備えたものであり、排出ベルト１３は、袋本体１１の内底面に連結したもので、その先端が袋本体１１の外側に位置する長さを備え、且つ先端に吊りフック（先端掛止部）１４を設けたものである。
【００２０】
図３乃至図５は、脱水処理として加圧脱水を採用した処理装置を示すもので、同装置は、移動脱水容器部２と、加圧脱水機構部３と、保管袋充填部４と運搬機構部５とを備えてなる。
【００２１】
移動脱水容器部２は、移動台２１上にメッシュ状の容器部２２を設けたもので、容器部２２は前記処理袋１が収納される大きさで、移動台２１は、所定位置（収納取出位置Ａ）から加圧脱水機構部３の脱水位置Ｂまで移動するように設けたものである。更に移動脱水容器部２には、位置Ａに隣接する箇所で、後述する運搬機構部５の移動直下となる箇所（位置Ｃ）に除染泥土Ｘを充填した処理袋１を搬入する搬入台車２３の搬入路を設けておく。
【００２２】
加圧脱水機構部３は、プレス機構で構成され、容器部２２内へ侵入加圧する押圧体３１を備えたものである。
【００２３】
保管袋充填部４は、保管袋６の開口保持枠で構成されるもので、運搬機構部５の移動直下の位置Ｄに配置してなるものである。尚保管袋６には、除染土壌を中間保管施設で保管する際に多用されている大型のフレコンバッグを採用する。
【００２４】
運搬機能部５は、位置Ａ、Ｃ，Ｄの上方に渡って配置されたレール５１と、前記レール５１上を走行して所定の部材を吊り上げて移動するウインチ部５２で構成される。
【００２５】
前記の処理装置を使用して本発明方法を実施することができるもので、その手順に添って説明する。除染現場（湖沼）で浚渫した除染泥土Ｘを、排出ベルト１３の先端の吊りフック１４を袋外に位置させて処理袋１に充填する。
【００２６】
除染泥土が充填された処理袋１Ａは、除染現場に近接して設置した処理装置まで運搬移動し、搬入台車２３に載置して処理装置による所定の脱水保管処理を行うものである。
【００２７】
搬入台車２３で位置Ｃに運搬移動した処理袋（除染泥土充填）１Ａは、運搬機構部５によって吊り上げ運搬によって位置Ａの容器部２２内に収納され（図３ア）、次にこの処理袋１Ａを収納した容器部２２を加圧脱水機構部３の位置Ｂに移動させ、押圧体３１で容器部２２内の処理袋１Ａを押圧加圧し、除染泥土Ｘを脱水する。
【００２８】
前記処理によって除染泥土Ｘが脱水されて保管可能な除染土壌Ｙとなる。この除染土壌Ｙは次に保管袋６に移し替えて保管可能な状態とするもので、容器部２２を位置Ｂから位置Ａに復帰させて、位置Ａにおいて除染土壌Ｙを収納することになった容器部２２内の処理袋１Ｂを、運搬機構部５で容器部２２内から吊りだし（図３イ）、保管袋充填部４の位置Ｄまで運搬移動させる（図４ウ）。
【００２９】
保管袋充填部４においては、予め保管袋６を開口状態で保持させておき、処理袋（除染土壌Ｙ収納）１Ｂを保管袋に吊り入れる。次に袋外部に露出させておいた排出ベルト１３の吊りフック１４をウインチ部５２によって引き上げると（図４エ）、処理袋１は袋底面から引き上げられ、反転状態で保管袋６外に引き出される（図５オ）。
【００３０】
これによって処理袋１Ａ内の除染土壌Ｙは保管袋６に移し替えられることになる。除染土壌Ｙの移し替えによって保管袋６が除染土壌Ｙで満たされると、除染土壌Ｙを収納した保管袋６Ａは、当該保管袋充填部４から取り出され、適宜な運搬車Ｚで中間保管施設まで搬送するものである。
【００３１】
図８は遠心脱水処理を実施する装置で、柱体を枠状に組み込んだ装置本体７に、脱水機構部８を設けて構成したものである。装置本体７には、上方開口の受容器部７１を設けてなり、脱水機構部８は、前記受容器部７１内に配置した処理袋１が入る大きさの脱水槽８１と、脱水槽８１を回転駆動させる駆動部（駆動モーター８２，伝達ベルト８３，駆動軸８４）を備えてなるものである。また特に受容器部７１の上方内周面には、脱水槽８１の外周面を支持する支持ローラ７２を設けてなる。
【００３２】
特に前記の脱水装置の構成部材は総てアルミ製としたもので、軽量のため駆動エネルギーが少なくてすみ、且つ腐蝕耐久性に優れているものである。
【００３３】
前記の脱水装置を使用して行う除染泥土の処理を、その手順に添って説明する。処理袋１には、適宜径の筒体９をその中心に立て込むと共に、当該筒体９に排出ベルト１３及び排出ベルト１３の先端の吊りフック１４を袋外に位置させ、除染泥土Ｘを筒体９の外周の範囲で処理袋１に充填する。
【００３４】
除染泥土Ｘが充填された処理袋１Ｃは、脱水装置の脱水槽８１内に収納する。そして駆動部を作動させて脱水槽８１を回転させ、除染泥土Ｘから含有水分を除去する。特に前記の遠心脱水において、遠心力が大きく働かない処理袋１Ｃの中心部分は、筒体９によって除染泥土Ｘが存在せずに、除染泥土Ｘは効率的に遠心脱水がなされる。
【００３５】
前記の遠心脱水か終了すると、脱水処理された除染土壌Ｙ１を収納することになった処理袋１Ｄを脱水槽８１から引き上げ、筒体９を引き抜いて次の処理を行う。
【００３６】
処理袋１Ｄは、除染土壌Ｙ１が保管可能な状態まで脱水されている場合は、この除染土壌Ｙ１を、保管袋６に移し替えて保管可能な状態とし、所定の中間貯蔵するものである。
【００３７】
移し替え作業は、前記の加圧脱水処理時と同様に、処理袋１Ｄを保管袋６に収納した状態袋外部に露出させておいた排出ベルト１３の吊りフック１４を引き上げ、処理袋１を袋底面から引き上げて反転状態として保管袋６外に引き出すものである。
【００３８】
また除染土壌Ｙ１の脱水が十分でない場合（予め脱水機器の効率を考慮して、遠心脱水を加圧脱水の前処理とする場合も含む）には、前記の除染土壌Ｙ１を収納している処理袋１Ｄを、加圧脱水処理対象の除染土壌Ｘを充填した処理袋１Ａと同様に取り扱い、二段階の脱水処理を行うものである。
【産業上の利用可能性】
【００３９】
本発明に係る脱水処理袋は、前記した除染泥土の他、脱水処理対象が泥濁水のような泥水、曝気槽の沈殿汚泥のような高含水物の脱水処理に対しても、メッシュの設定並びに脱水処理方法を選択することで使用でき、特に保管袋への移し変えに対応できるものである。
【符号の説明】
【００４０】
１      処理袋（泥水泥土の脱水処理袋）
１Ａ，１Ｃ    処理袋（除染泥土充填）
１Ｂ，１Ｄ    処理袋（除染土壌収納）
１１    袋本体
１２    吊上用ベルト
１３    排出ベルト
１４    吊りフック（先端掛止部）
２      移動脱水容器部
２１    移動台
２２    容器部
２３    搬入台車
３      加圧脱水機構部
３１    押圧体
４      保管袋充填部
５      運搬機構部
５１    レール
５２    ウインチ部
６      保管袋
６Ａ    保管袋（除染土壌収納）
７      装置本体
７１    受容器部
７２    支持ローラ
８      脱水機構部
８１    脱水槽
８２    駆動モーター
８３    伝達ベルト
８４    駆動軸
９      筒体
【図１】
2018154406.tif 000003
【図２】
2018154406.tif 000004
【図３】
2018154406.tif 000005
【図４】
2018154406.tif 000006
【図５】
2018154406.tif 000007
【図６】
2018154406.tif 000008
【図７】
2018154406.tif 000009
【図８】
2018154406.tif 000010